(57)【要約】【課題】Ｗｅｂブラウザ上においてユーザに応じたコンテンツを提供する仕組みであって一般的なユーザの環境においても実現可能な仕組みを提供すること。【解決手段】複数のコンテンツに共通する制御用ｓｗｆファイルを用意し、再生された制御用ｓｗｆファイル２２ａの上でユーザコンテンツや広告コンテンツを表示させることとする。また、再生された制御用ｓｗｆファイル２２ａの上で再生されているユーザコンテンツや広告コンテンツから所定ＳｈａｒｅｄＯｂｊｅｃｔファイル１９へのアクセスは、再生された制御用ｓｗｆファイル２２ａを介して行うこととする。このようにすると、異なるドメインからロードされてきたｓｗｆファイル間でも所定ＳｈａｒｅｄＯｂｊｅｃｔファイル１９の内容の共有を行うことができる。【選択図】図３
2010044652.tif 000002
【特許請求の範囲】
【請求項１】
Ｗｅｂブラウザの特定領域上においてＦＬＡＳＨ（登録商標）プレーヤーにより再生される制御用ｓｗｆファイルを提供する制御用ｓｗｆファイルサーバと、前記制御用ｓｗｆファイルとは異なるコンテンツ提示用ｓｗｆファイルを提供するコンテンツ提示用ｓｗｆファイルサーバとを備えるコンテンツ提供システムであって、
前記制御用ｓｗｆファイルは、
所定ＳｈａｒｅｄＯｂｊｅｃｔファイルを作成する命令と、
該所定ＳｈａｒｅｄＯｂｊｅｃｔファイルに対して値を設定する命令と、
該所定ＳｈａｒｅｄＯｂｊｅｃｔファイルから設定された値を参照する命令と、
ＩＤに対応するｓｗｆファイルをロードして、ＦＬＡＳＨ（登録商標）プレーヤーに対して該ロードしたｓｗｆファイルを前記再生された制御用ｓｗｆファイル上にて再生させる命令と
を含んでおり、
前記コンテンツ提示用ｓｗｆファイルは、
当該コンテンツ提示用ｓｗｆファイルに対応したＩＤが前記制御用ｓｗｆファイルに渡されることにより該制御用ｓｗｆファイルによりロードされるものであり、
前記制御用ｓｗｆファイルに対して、前記所定ＳｈａｒｅｄＯｂｊｅｃｔに設定された値であって前記Ｗｅｂブラウザの実行主体であるユーザに関する値を参照させ、前記設定された値を取得する命令と、
該取得した値に対応するコンテンツを前記特定領域上に表示させる命令と
を含んでいることにより、
少なくとも前記再生された制御用ｓｗｆファイルと前記再生されたコンテンツ提示用ｓｗｆファイルとの２つのレイヤを少なくとも備える特定コンテンツであってユーザスペシファイドなＦＬＡＳＨ（登録商標）ベースの特定コンテンツを前記特定領域上において提供するコンテンツ提供システム。
【請求項２】
付加的なコンテンツ提示用のｓｗｆファイルである付加的ｓｗｆファイルを提供する付加的ｓｗｆファイルサーバを更に備えるコンテンツ提供システムであって、
該付加的ｓｗｆファイルは、当該付加的ｓｗｆファイルに対応したＩＤが前記制御用ｓｗｆファイルに渡されることにより該制御用ｓｗｆファイルによりロードされるものであり、且つ、前記制御用ｓｗｆファイルに対して前記所定ＳｈａｒｅｄＯｂｊｅｃｔに値を設定させる命令を含んでいる、請求項１記載のコンテンツ提供システム。
【請求項３】
前記付加的ｓｗｆファイルは、前記制御用ｓｗｆファイルに対して前記ユーザに関する値を前記所定ＳｈａｒｅｄＯｂｊｅｃｔに設定させる、請求項２記載のコンテンツ提供システム。
【請求項４】
前記コンテンツ提示用ｓｗｆファイルが再生される際には、前記付加的ｓｗｆファイルが既に前記制御用ｓｗｆファイル上にて再生されており、
前記コンテンツ提示用ｓｗｆファイルは、前記再生された付加的ｓｗｆファイル上にて再生されるものであり、
前記特定コンテンツは、前記再生された制御用ｓｗｆファイルと、前記再生された付加的ｓｗｆファイルと、前記再生されたコンテンツ提示用ｓｗｆファイルとの３つのレイヤを備えるものである
請求項２又は請求項３記載のコンテンツ提供システム。
【請求項５】
前記コンテンツ提示用ｓｗｆファイルは、前記取得した値に応じた広告情報を表示するものである、請求項１乃至請求項４のいずれかに記載のコンテンツ提供システム。
【請求項６】
前記コンテンツ提示用ｓｗｆファイルは、前記制御用ｓｗｆファイルに対して前記所定ＳｈａｒｅｄＯｂｊｅｃｔに値を設定させる命令を更に含んでいる、請求項１乃至請求項５のいずれかに記載のコンテンツ提供システム。
【請求項７】
前記特定コンテンツは、少なくとも所定のパーソナライズドページにおいて利用可能なものであると共に、現在表示されているサイトとは異なるサイトのページに貼付可能なものである、請求項１乃至請求項６のいずれかに記載のコンテンツ提供システム。
【請求項８】
請求項１乃至請求項７のいずれかに記載の制御用ｓｗｆファイルサーバ。
【発明の詳細な説明】
【技術分野】
【０００１】
本発明は、Ｗｅｂブラウザ上においてユーザに応じたコンテンツを提供する仕組みに関する。
【背景技術】
【０００２】
広告コンテンツなどのコンテンツの場合、ユーザの属性（生年月日、年齢、性別、家族構成、仕事環境など）を特定したうえで提供した方が高い効果を得られることはよく知られている。そのため、ユーザの属性に応じてコンテンツを提供しようとする試みも多数提案されてきている。例えば、Ｗｅｂブラウザ上においてユーザに応じた情報を提供しようとする試みとしては、特許文献１に開示されたものがある。
【０００３】
【特許文献１】特開２００８−１７１０３８号公報
【発明の開示】
【発明が解決しようとする課題】
【０００４】
特許文献１記載の方法では、ユーザプロファイルデータを管理し得るガジェットと、そのガジェットのプラットフォームであるガジェット・プラットフォームが予めユーザ端末にインストールされていなければならないという制約がある。
【０００５】
そこで、本発明は、Ｗｅｂブラウザ上においてユーザに応じたコンテンツを提供する仕組みであって一般的なユーザの環境においても実現可能な仕組みを提供することを目的とする。
【課題を解決するための手段】
【０００６】
本発明によれば、第１のコンテンツ提供システムとして、
Ｗｅｂブラウザの特定領域上においてＦＬＡＳＨ（登録商標）プレーヤーにより再生される制御用ｓｗｆファイルを提供する制御用ｓｗｆファイルサーバと、前記制御用ｓｗｆファイルとは異なるコンテンツ提示用ｓｗｆファイルを提供するコンテンツ提示用ｓｗｆファイルサーバとを備えるコンテンツ提供システムであって、
前記制御用ｓｗｆファイルは、
所定ＳｈａｒｅｄＯｂｊｅｃｔファイルを作成する命令と、
該所定ＳｈａｒｅｄＯｂｊｅｃｔファイルに対して値を設定する命令と、
該所定ＳｈａｒｅｄＯｂｊｅｃｔファイルから設定された値を参照する命令と、
ＩＤに対応するｓｗｆファイルをロードして、ＦＬＡＳＨ（登録商標）プレーヤーに対して該ロードしたｓｗｆファイルを前記再生された制御用ｓｗｆファイル上にて再生させる命令と
を含んでおり、
前記コンテンツ提示用ｓｗｆファイルは、
当該コンテンツ提示用ｓｗｆファイルに対応したＩＤが前記制御用ｓｗｆファイルに渡されることにより該制御用ｓｗｆファイルによりロードされるものであり、
前記制御用ｓｗｆファイルに対して、前記所定ＳｈａｒｅｄＯｂｊｅｃｔに設定された値であって前記Ｗｅｂブラウザの実行主体であるユーザに関する値を参照させ、前記設定された値を取得する命令と、
該取得した値に対応するコンテンツを前記特定領域上に表示させる命令と
を含んでいることにより、
少なくとも前記再生された制御用ｓｗｆファイルと前記再生されたコンテンツ提示用ｓｗｆファイルとの２つのレイヤを少なくとも備える特定コンテンツであってユーザスペシファイドなＦＬＡＳＨ（登録商標）ベースの特定コンテンツを前記特定領域上において提供するコンテンツ提供システムが得られる。
【０００７】
本発明によれば、第２のコンテンツ提供システムとして、第１のコンテンツ提供システムにおいて、
付加的なコンテンツ提示用のｓｗｆファイルである付加的ｓｗｆファイルを提供する付加的ｓｗｆファイルサーバを更に備えるコンテンツ提供システムであって、
該付加的ｓｗｆファイルは、当該付加的ｓｗｆファイルに対応したＩＤが前記制御用ｓｗｆファイルに渡されることにより該制御用ｓｗｆファイルによりロードされるものであり、且つ、前記制御用ｓｗｆファイルに対して前記所定ＳｈａｒｅｄＯｂｊｅｃｔに値を設定させる命令を含んでいる、コンテンツ提供システムが得られる。
【０００８】
本発明によれば、第３のコンテンツ提供システムとして、第２のコンテンツ提供システムにおいて、
前記付加的ｓｗｆファイルは、前記制御用ｓｗｆファイルに対して前記ユーザに関する値を前記所定ＳｈａｒｅｄＯｂｊｅｃｔに設定させる、コンテンツ提供システムが得られる。
【０００９】
本発明によれば、第４のコンテンツ提供システムとして、第２又は第３のコンテンツ提供システムにおいて、
前記コンテンツ提示用ｓｗｆファイルが再生される際には、前記付加的ｓｗｆファイルが既に前記制御用ｓｗｆファイル上にて再生されており、
前記コンテンツ提示用ｓｗｆファイルは、前記再生された付加的ｓｗｆファイル上にて再生されるものであり、
前記特定コンテンツは、前記再生された制御用ｓｗｆファイルと、前記再生された付加的ｓｗｆファイルと、前記再生されたコンテンツ提示用ｓｗｆファイルとの３つのレイヤを備えるものである
コンテンツ提供システムが得られる。
【００１０】
本発明によれば、第５のコンテンツ提供システムとして、第１乃至第４のコンテンツ提供システムのいずれかにおいて、
前記コンテンツ提示用ｓｗｆファイルは、前記取得した値に応じた広告情報を表示するものである、コンテンツ提供システムが得られる。
【００１１】
本発明によれば、第６のコンテンツ提供システムとして、第１乃至第５のコンテンツ提供システムのいずれかにおいて、
前記コンテンツ提示用ｓｗｆファイルは、前記制御用ｓｗｆファイルに対して前記所定ＳｈａｒｅｄＯｂｊｅｃｔに値を設定させる命令を更に含んでいる、コンテンツ提供システムが得られる。
【００１２】
本発明によれば、第７のコンテンツ提供システムとして、第１乃至第６のコンテンツ提供システムのいずれかにおいて、
前記特定コンテンツは、少なくとも所定のパーソナライズドページにおいて利用可能なものであると共に、現在表示されているサイトとは異なるサイトのページに貼付可能なものである、コンテンツ提供システムが得られる。
【００１３】
更に、本発明によれば、第１乃至第７のコンテンツ提供システムのいずれかに記載の制御用ｓｗｆファイルサーバが得られる。
【発明の効果】
【００１４】
異なるドメインから取得されたｓｗｆファイル同士が同一のＳｈａｒｅｄＯｂｊｅｃｔに対して値の設定／参照を行うことはできないが、本発明によれば、ＳｈａｒｅｄＯｂｊｅｃｔに対して直接アクセスするためのｓｗｆファイル（制御用ｓｗｆファイル）と、ユーザに可視的な情報を与えるためのｓｗｆファイル（コンテンツ提示用ｓｗｆファイル）とを分離することとし、コンテンツ提示用ｓｗｆファイルから制御用ｓｗｆファイルを介してＳｈａｒｅｄＯｂｊｅｃｔにアクセスさせることとしたため、異なるドメインから取得されたｓｗｆファイル間でも制御用ｓｗｆファイルの制御の下、情報の授受を行うことができる。
【発明を実施するための最良の形態】
【００１５】
（第１の実施の形態）
本発明の第１の実施の形態によるコンテンツ提供システムは、例えば、パーソナライズドページにおいて利用されるコンテンツやブログパーツとして利用可能なコンテンツを提供するものであり、図１に示されるように、ユーザ端末１０と、制御用ｓｗｆファイル２２を格納する制御用ｓｗｆファイルサーバ２０と、ＩＤと第１コンテンツｓｗｆファイル３２を関連付けて格納する第１コンテンツサーバ３０と、ＩＤと第２コンテンツｓｗｆファイル４２を関連付けて格納する第２コンテンツサーバ４０とを備えている。
【００１６】
ユーザ端末１０は、図２に示されるように、互いにバス接続されたＣＰＵ１１、主記憶１２、補助記憶１３、送受信部１６、及び出力部１４、並びに出力部１４に接続された表示部１５を備えている。このうち主記憶１２は例えばＤＲＡＭなどで構成されている。補助記憶１３は例えばＨＤＤなどで構成されている。表示部１５はディスプレイ等で構成されている。
【００１７】
補助記憶１３にはＷｅｂブラウザなどのプログラムが格納されている。Ｗｅｂブラウザなどのプログラムや各種サーバからロードされたプログラムなどは、主記憶１２上に展開されＣＰＵ１１によって実行される。また、主記憶１２上にはＣＰＵ１１がプログラムに従って動作している間に生成したデータやＣＰＵ１１によって利用されるデータも一時的に格納される。
【００１８】
送受信部１６はＣＰＵ１１の制御によりユーザ端末とインターネットとの接続を確立する。表示部１５には、ＣＰＵ１１で所定の演算又は処理が行われた結果により、例えば画像等が出力部１４を介して表示される。
【００１９】
本発明の実施の形態においては、ユーザ端末１０上においてＷｅｂブラウザなどのプログラムがＣＰＵ１１に実行され、以下のような処理が行われる。
【００２０】
図３に示されるように、Ｗｅｂブラウザ１７はＨＴＭＬファイルを読み込むと、そこに含まれている記述にしたがって制御用ｓｗｆファイルサーバ２０に対して制御用ｓｗｆファイル２２のリクエストを送信する（ＳＱ１）。制御用ｓｗｆファイルサーバ２０は、Ｗｅｂブラウザ１７からのリクエストを受けると、制御用ｓｗｆファイル２２をＷｅｂブラウザ１７に対して送信する（ＳＱ２）。Ｗｅｂブラウザ１７は、受信した制御用ｓｗｆファイル２２をＦＬＡＳＨ（登録商標）プレーヤーを介してＷｅｂブラウザ１７の特定領域１７ａ内において再生する。この際、ＨＴＭＬ内に予め記述されていたＩＤがＷｅｂブラウザ１７から「再生された制御用ｓｗｆファイル２２ａ」に対して渡される。本実施の形態においては、再生された制御用ｓｗｆファイル２２ａは、当該制御用ｓｗｆファイル２２に記述されていた種々の命令を実行する。
【００２１】
まず、再生された制御用ｓｗｆファイル２２ａは、所定ＳｈａｒｅｄＯｂｊｅｃｔファイル１９を作成する（ＳＱ３）。
【００２２】
次いで、再生された制御用ｓｗｆファイル２２ａは、Ｗｅｂブラウザ１７から渡されたＩＤを第１コンテンツサーバ３０に対して送信し、第１コンテンツｓｗｆファイル３２のリクエストを行う（ＳＱ４）。ここで、ＩＤは、第１コンテンツｓｗｆファイルに割り当てられた英数字であってもよいし、第１コンテンツｓｗｆファイル３２のＵＲＬ自体であってもよい。また、本実施の形態においては、ＩＤを第１コンテンツサーバ３０に送信することとしているが、例えば、ＩＤ（この場合ＵＲＬではないもの）とＵＲＬとを関連付けて格納するサーバを別途用意し、第１コンテンツサーバ３０にリクエストをする前に、別途用意されたサーバからＩＤに対応するＵＲＬを取得し、取得したＵＲＬをもって第１コンテンツサーバ３０にアクセスすることとしてもよい。
【００２３】
第１コンテンツサーバ３０は、再生された制御用ｓｗｆファイル２２ａに対して第１コンテンツｓｗｆファイル３２を送信する（ＳＱ５）。第１コンテンツｓｗｆファイル３２は、再生された制御用ｓｗｆファイル２２ａ上においてＦＬＡＳＨ（登録商標）プレーヤーにより再生される。これにより、Ｗｅｂブラウザ１７の特定領域１７ａ上においては、再生された制御用ｓｗｆファイル２２ａと再生された第１コンテンツｓｗｆファイル３２ａからなる特定コンテンツ１８ａが表示される。
【００２４】
本実施の形態において、第１コンテンツサーバ３０と制御用ｓｗｆファイルサーバ２０とは異なるドメインに属するものである。従って、再生された第１コンテンツｓｗｆファイル３２ａは、再生された制御用ｓｗｆファイル２２ａの作成した所定ＳｈａｒｅｄＯｂｊｅｃｔファイル１９に直接アクセスすることはできないが、以下に示すようにして、制御用ｓｗｆファイル２２ａを介してアクセスすることは可能である。
【００２５】
本実施の形態における再生された第１コンテンツｓｗｆファイル３２ａは、例えば、占いなどのコンテンツであり、再生されている状態においてユーザに対して「生年月日」の入力を促すものである。「生年月日」が入力されると、再生された第１コンテンツｓｗｆファイル３２ａは、図４に示されるように、再生された制御用ｓｗｆファイル２２ａに対して、入力された「生年月日」を所定ＳｈａｒｅｄＯｂｊｅｃｔファイル１９へ設定すべきとの指示を出す（ＳＱ６）。かかる指示を受けると、再生された制御用ｓｗｆファイル２２ａは、所定ＳｈａｒｅｄＯｂｊｅｃｔファイル１９に対して値「生年月日」を設定する。
【００２６】
次に、図５を参照して、前述の特定コンテンツ１８ａとは異なる特定コンテンツ１８ｂがＷｅｂブラウザ１７上で実行された場合について説明する。本実施の形態における特定コンテンツ１８ｂは、再生された制御用ｓｗｆファイル２２ａと再生された第２コンテンツｓｗｆファイル４２ａとからなるものである。ここで、再生された第２コンテンツｓｗｆファイル４２ａは、前述の再生された第１コンテンツｓｗｆファイル３２ａが再生された制御用ｓｗｆファイル２２ａを介して所定ＳｈａｒｅｄＯｂｊｃｔファイル１９に設定した値「生年月日」を参照して利用するコンテンツを有するものである。なお、第２コンテンツサーバ４０から第２コンテンツｓｗｆファイル４２が取得される手順や、取得した第２コンテンツｓｗｆファイル４２を再生された制御用ｓｗｆファイル２２ａ上においてＦＬＡＳＨ（登録商標）プレーヤーにより再生させる手順等は前述の第１コンテンツｓｗｆファイル３２の場合と同じであるので説明を省略する。
【００２７】
図５に示されるように、再生された第２コンテンツｓｗｆファイル４２ａは、再生された制御用ｓｗｆファイル２２ａに対して、「生年月日」として設定してある値について所定ＳｈａｒｅｄＯｂｊｅｃｔファイル１９を参照すべきとの指示を出す（ＳＱ８）。かかる指示を受けると、再生された制御用ｓｗｆファイル２２ａは、「生年月日」として設定してある値について所定ＳｈａｒｅｄＯｂｊｅｃｔファイル１９を参照する（ＳＱ９）。
【００２８】
再生された制御用ｓｗｆファイル２２ａは、所定ＳｈａｒｅｄＯｂｊｅｃｔファイル１９から「生年月日」として設定してある値を取得すると（ＳＱ１０）、その値を再生された第２コンテンツｓｗｆファイル４２ａに対して渡す（ＳＱ１１）。このようにして値「生年月日」を取得すると、再生された第２コンテンツｓｗｆファイル４２ａは、値「生年月日」に応じた内容を表示する。
【００２９】
このような仕組みによれば、第１コンテンツｓｗｆファイル３２を配布する第１コンテンツサーバ３０と、第２コンテンツｓｗｆファイル４２を配布する第２コンテンツサーバ４０とが異なるドメインに属するものであったとしても、再生された第２コンテンツｓｗｆファイル４２ａは、再生された第１コンテンツｓｗｆファイル３２ａにより所定ＳｈａｒｅｄＯｂｊｅｃｔファイル１９に設定された値を参照することができる。
【００３０】
（第２の実施の形態）
上述した第１の実施の形態における特定コンテンツは２層構造を有するものであり、異なる特定コンテンツ間で所定ＳｈａｒｅｄＯｂｊｅｃｔファイル１９の共有が図られていたケースであったが、本発明の第２の実施の形態における特定コンテンツは３層構造を有するものであり、同一の特定コンテンツに含まれるコンテンツ間でＳｈａｒｅｄＯｂｊｅｃｔファイル１９の共有が図られるケースである。
【００３１】
詳しくは、本実施の形態によるコンテンツ提供システムは、図６に示されるように、ユーザ端末１０と、制御用ｓｗｆファイル２２を格納する制御用ｓｗｆファイルサーバ２０と、ＩＤと第３コンテンツｓｗｆファイル５２を関連付けて格納する第３コンテンツサーバ５０と、ＩＤと広告コンテンツｓｗｆファイル６２を関連付けて格納する広告コンテンツサーバ６０とを備えている。ここで、制御用ｓｗｆファイル２２がロードされ実行される手順や、再生された制御用ｓｗｆファイル２２ａにより第３コンテンツｓｗｆファイル５２が第３コンテンツサーバ５０からロードされ実行される手順等については、前述の第１の実施の形態と同様である。本実施の形態においては、更に、再生された第３コンテンツｓｗｆファイル５２ａ上において、広告コンテンツｓｗｆファイル６２が再生される。具体的には、再生された第３コンテンツｓｗｆファイル５２ａは、自己のＩＤと同じＩＤを用いて、広告コンテンツサーバ６０にアクセスし、対応する広告コンテンツｓｗｆファイル６２の送信要求を行う。広告コンテンツｓｗｆファイル６２を受信すると、再生された第３コンテンツｓｗｆファイル５２ａは、自己の上において受信した広告コンテンツｓｗｆファイル６２をＦＬＡＳＨ（登録商標）プレーヤーにより再生する。このようにして、図７に示されるような３層構造の特定コンテンツ１８ｃが得られる。
【００３２】
この特定コンテンツ１８ｃにおいては、例えば、以下に説明するようにして、再生された第３コンテンツｓｗｆファイル５２ａにより所定ＳｈａｒｅｄＯｂｊｅｃｔファイル１９に設定された値を、再生された広告コンテンツｓｗｆファイル６２ａにより参照することが可能である。
【００３３】
まず、再生された第３コンテンツｓｗｆファイル５２ａは、図７に示されるように、再生された制御用ｓｗｆファイル２２ａに対して、「地域」を所定ＳｈａｒｅｄＯｂｊｅｃｔファイル１９へ設定すべきとの指示を出す（ＳＱ１２）。かかる指示を受けると、再生された制御用ｓｗｆファイル２２ａは、所定ＳｈａｒｅｄＯｂｊｅｃｔファイル１９に対して値「地域」を設定する（ＳＱ１３）。
【００３４】
次いで、再生された広告コンテンツｓｗｆファイル６２ａは、再生された制御用ｓｗｆファイル２２ａに対して、「地域」として設定してある値について所定ＳｈａｒｅｄＯｂｊｅｃｔファイル１９を参照すべきとの指示を出す（ＳＱ１４）。かかる指示を受けると、再生された制御用ｓｗｆファイル２２ａは、「地域」として設定してある値について所定ＳｈａｒｅｄＯｂｊｅｃｔファイル１９を参照する（ＳＱ１３）。
【００３５】
再生された制御用ｓｗｆファイル２２ａは、所定ＳｈａｒｅｄＯｂｊｅｃｔファイル１９から「地域」として設定してある値を取得すると（ＳＱ１６）、その値を再生された広告コンテンツｓｗｆファイル６２ａに対して渡す（ＳＱ１７）。このようにして値「地域」を取得すると、再生された広告コンテンツｓｗｆファイル６２ａは、値「地域」に対応する広告内容を表示する。
【００３６】
以上説明したように、このような仕組みによれば、第３コンテンツｓｗｆファイル５２を配布する第３コンテンツサーバ５０と、広告コンテンツｓｗｆファイル６２を配布する広告コンテンツサーバ６０とが異なるドメインに属するものであったとしても、再生された広告コンテンツｓｗｆファイル６２ａは、再生された第３コンテンツｓｗｆファイル５２ａにより所定ＳｈａｒｅｄＯｂｊｅｃｔファイル１９に設定された値を参照することができる。
【００３７】
以上、本発明について具体的な例を掲げて説明してきたが、本発明はこれらに限定されるものではない。例えば、特定コンテンツ１８ａに含まれる再生された第１コンテンツｓｗｆファイル３２ａに対して値「生年月日」を所定ＳｈａｒｅｄＯｂｊｅｃｔファイル１９に設定させる一方で、特定コンテンツ１８ｃに含まれる再生された広告コンテンツｓｗｆファイル６２ａに対してその値「生年月日」を参照させるといったことも可能である。
【図面の簡単な説明】
【００３８】
【図１】本発明の第１の実施の形態によるコンテンツ提供システムの構成を概略的に示す構成図である。
【図２】本発明の実施の形態によるユーザ端末の構成を示すブロック図である。
【図３】特定コンテンツが表示されるまでの手順を模式的に示す図である。
【図４】第１の実施の形態における所定ＳｈａｒｅｄＯｂｊｅｃｔファイルへの値設定の手順を模式的に示す図である。
【図５】第１の実施の形態における所定ＳｈａｒｅｄＯｂｊｅｃｔファイルへの値参照の手順を模式的に示す図である。
【図６】本発明の第２の実施の形態によるコンテンツ提供システムの構成を概略的に示す構成図である。
【図７】第２の実施の形態における所定ＳｈａｒｅｄＯｂｊｅｃｔファイルへの値設定及び値参照の手順を模式的に示す図である。
【符号の説明】
【００３９】
１０        ユーザ端末
１１        ＣＰＵ
１２        主記憶
１３        補助記憶
１４        出力部
１５        表示部
１６        送受信部
１７        Ｗｅｂブラウザ
１７ａ      特定領域
１８，１８ａ〜１８ｃ        特定コンテンツ
１９        所定ＳｈａｒｅｄＯｂｊｅｃｔファイル
２０        制御用ｓｗｆファイルサーバ
２２        制御用ｓｗｆファイル
３０        第１コンテンツサーバ
３２        第１コンテンツｓｗｆファイル
４０        第２コンテンツサーバ
４２        第２コンテンツｓｗｆファイル
５０        広告コンテンツサーバ
５２        広告コンテンツｓｗｆファイル
６０        第３コンテンツサーバ
６２        第３コンテンツｓｗｆファイル
【図１】
2010044652.tif 000003
【図２】
2010044652.tif 000004
【図３】
2010044652.tif 000005
【図４】
2010044652.tif 000006
【図５】
2010044652.tif 000007
【図６】
2010044652.tif 000008
【図７】
2010044652.tif 000009